(57)【要約】【課題】スイッチファブリックカードの異常が生じた場合でも中継機能を維持することを可能とする技術を提供する。【解決手段】管理カードが、第３の通信網６０を介したスイッチファブリックカード２０との通信が不能であることを検出した場合、管理カード３０は、第２の通信網５０経由で制御ＩＦ部２２を介してスイッチ部２１のバックアップレジスタ２１１への書き込みを行う。具体的には、選択部８１３にバックアップレジスタ２１１の出力を選択させる選択信号ＳＥＬを出力させるための書き込みを行う。その後、バックアップレジスタ２１１に、管理レジスタ８１２に書き込むものと同様のコマンドを書き込む。これにより、第３の通信網６０経由で管理レジスタ８１２を利用して実現される保守管理機能と同等の機能を、第２の通信網５０経由でバックアップレジスタ２１１を利用することによって実現される。【選択図】図３
2017220719.tif 000002
【特許請求の範囲】
【請求項１】
フレームが入出力される一つ以上の外部インタフェースを有する複数のラインカードと、
前記ラインカード間の通信経路を構築する少なくとも一つのスイッチファブリックカードと、
前記ラインカードおよび前記スイッチファブリックカードの動作状態を管理する少なくとも一つの管理カードと、
を備える中継装置であって、
前記スイッチファブリックカードは、
前記複数のラインカードと第１の通信網を介して接続され、前記ラインカード間のフレームの転送を行うスイッチング機能を有するスイッチ部と、
前記管理カードと第２の通信網を介して接続され、前記スイッチング機能に関する指令を送受信するための制御インタフェース部と、
当該スイッチファブリックカードを構成する各部の動作状態を管理する管理機能を有するカード管理部と、
前記管理カードと第３の通信網を介して接続され、前記管理機能に関する指令を送受信するための管理インタフェース部と、
を備え、
前記スイッチ部は、
前記制御インタフェース部を介して書き込みが行われるバックアップレジスタを備え、
前記カード管理部は、
前記管理インタフェース部を介して書き込みが行われる管理レジスタと、
前記バックアップレジスタの書き込み内容に従って、前記バックアップレジスタおよび前記管理レジスタのいずれかを選択する選択部と、
前記選択部にて選択されたレジスタの内容に従って予め決められた処理を実行する処理実行部と、
を備える中継装置。
【請求項２】
請求項１に記載の中継装置において、
前記スイッチファブリックカードは、
前記バックアップレジスタの書き込み内容に従って、前記処理実行部から前記スイッチ部および前記制御インタフェース部に出力される制御系信号を通過またはラッチするゲート部と、
前記ゲート部が前記制御系信号をラッチすると、前記カード管理部および管理インタフェース部をリセットする部分リセット部と、
を更に備える中継装置。
【請求項３】
請求項１または請求項２に記載の中継装置において、
前記管理カードは、前記第３の通信網を介した通信が不能である場合に、前記第２の通信網を介して、前記選択部に前記バックアップレジスタを選択するように構成されている、中継装置。
【請求項４】
フレームを中継する中継装置に用いられるスイッチファブリックカードであって、
フレームが入出力される一つ以上の外部インタフェースを有する複数のラインカードと第１の通信網を介して接続され、前記ラインカード間のフレームの転送を行うスイッチング機能を有するスイッチ部と、
前記中継装置全体の動作状態を管理する複数の管理カードと第２の通信網を介して接続され、前記スイッチング機能に関する指令を送受信するための制御インタフェース部と、
当該スイッチファブリックカードを構成する各部の動作状態を管理する管理機能を有するカード管理部と、
前記複数の管理カードと第３の通信網を介して接続され、前記管理機能に関する指令を送受信するための管理インタフェース部と、
を備え、
前記スイッチ部は、
前記制御インタフェース部を介して書き込みが行われるバックアップレジスタを備え、
前記カード管理部は、
前記管理インタフェース部を介して書き込みが行われる管理レジスタと、
前記バックアップレジスタの書き込み内容に従って、前記バックアップレジスタおよび前記管理レジスタのいずれかを選択する選択部と、
前記選択部にて選択されたレジスタの内容に従って予め決められた処理を実行する処理実行部と、
を備えるスイッチファブリックカード。
【発明の詳細な説明】
【技術分野】
【０００１】
本発明は、通信網における中継装置の技術に関する。
【背景技術】
【０００２】
通信網において、イーサネット（登録商標）等の通信規格に基づいて高速データ転送を行う中継装置がある。その一つとして、筐体内に、異なる機能を有した複数種類のカードを着脱可能に構成された、いわゆるシャーシ型の中継装置がある。カードには、ラインカード、スイッチファブリックカード、管理カード等がある。ラインカードは、複数設けられ、それぞれが、イーサネット等の通信規格に対応したイーサネットフレームを入出力する一つ以上の外部インタフェースを有する。スイッチファブリックカードは、イーサネットフレームの宛先に従って複数のラインカード間でのイーサネットフレームの転送を実施する。管理カードは、各ラインカードやファブリックカードの設定や動作状態の監視等を含めて中継装置全体を管理する。そして、スイッチファブリックカードや管理カードは、例えば、特許文献１に記載のように、信頼性向上や負荷分散のために多重化された冗長構成をとることができる。
【先行技術文献】
【特許文献】
【０００３】
【特許文献１】特開２００３−２３４７５７号公報
【発明の概要】
【発明が解決しようとする課題】
【０００４】
ところで、スイッチファブリックカードは、ラインカードを介して送受信されるイーサネットフレームを中継するスイッチング機能を有したスイッチング部と、ファブリックカードを構成する各部の動作状態を監視し、異常対応等の処理を実行するカード管理機能を有したカード管理部とを備える。
【０００５】
そして、管理カードがスイッチファブリックカードを制御する際に、スイッチング機能に関する指令と、カード管理機能に関する指令を、それぞれ個別に設けられた別系統のインタフェース部を用いて送受信するように構成することが考えられる。以下では、スイッチング機能に用いるインタフェース部を制御インタフェース部（以下、制御ＩＦ部）、カード管理機能に用いるインタフェース部を管理インタフェース部（以下、管理ＩＦ部）という。
【０００６】
なお、カード管理部は、カード管理機能の一つとして、スイッチファブリックカードを構成する各デバイスの状態を監視し、何等かの異常が検出された場合に、その異常を解消するための各種制御を実行する機能を備えている。
【０００７】
しかしながら、管理ＩＦ部に異常が発生すると、カード管理部は、管理カードとの通信が不能となるため、その異常が解消されない状態のまま運用され続けてしまうおそれがある。そのような場合、通常、スイッチファブリックカード全体のリセットが行われるが、リセットから復帰するまでの間、スイッチファブリックカードを使用する中継機能が途絶えてしまうという問題があった。
【０００８】
本開示は、こうした問題に鑑みてなされたものであり、スイッチファブリックカードの異常が生じた場合でも中継機能を維持することを可能とする技術を提供することを目的としている。
【課題を解決するための手段】
【０００９】
上記目的を達成するために、本発明は、以下の手段を提供する。
本開示の一態様は、フレームが入出力される一つ以上の外部インタフェースを有する複数のラインカードと、前記ラインカード間の通信経路を構築する少なくとも一つのスイッチファブリックカードと、前記ラインカードおよび前記スイッチファブリックカードの動作状態を管理する少なくとも一つの管理カードと、を備える中継装置であって、前記スイッチファブリックカードは、前記複数のラインカードと第１の通信網を介して接続され、前記ラインカード間のフレームの転送を行うスイッチング機能を有するスイッチ部と、前記管理カードと第２の通信網を介して接続され、前記スイッチング機能に関する指令を送受信するための制御インタフェース部と、当該スイッチファブリックカードを構成する各部の動作状態を管理する管理機能を有するカード管理部と、前記管理カードと第３の通信網を介して接続され、前記管理機能に関する指令を送受信するための管理インタフェース部と、を備え、前記スイッチ部は、前記制御インタフェース部を介して書き込みが行われるバックアップレジスタを備え、前記カード管理部は、前記管理インタフェース部を介して書き込みが行われる管理レジスタと、前記バックアップレジスタの書き込み内容に従って、前記バックアップレジスタおよび前記管理レジスタのいずれかを選択する選択部と、前記選択部にて選択されたレジスタの内容に従って予め決められた処理を実行する処理実行部と、を備える。
【００１０】
本開示の別の態様は、フレームを中継する中継装置に用いられるスイッチファブリックカードであって、上記態様の中継装置を構成するスイッチファブリックカードと同様の構成を有するスイッチファブリックカードを提供する。
【００１１】
本開示の中継装置およびスイッチファブリックカードによれば、スイッチファブリックカードの、管理機能に関する指令を送受信するために用意された第３の通信網を介した通信が不能となった場合に、スイッチング機能に関する指令を送受信するために用意された第２の通信網を介して、管理機能に関する指令を送受信することができる。
【００１２】
このように管理カードからスイッチファブリックカードの管理機能に関する指令を送受信するためのインタフェースが２重化されているため、第３の通信網を介した通信に異常が生じた場合にも、第２の通信網を介してスイッチファブリックカードの管理機能を制御することができる。その結果、このような異常が生じた場合でも、スイッチ部が実現する中継機能を維持することができ、スイッチファブリックカードひいては中継装置全体の信頼性を向上させることができる。
【図面の簡単な説明】
【００１３】
【図１】中継装置の全体構成を示すブロック図である。
【図２】スイッチファブリックカードおよび管理カードの構成および接続関係を示すブロック図である。
【図３】スイッチファブリックカードの構成を示すブロック図である。
【発明を実施するための形態】
【００１４】
以下、図面を参照しながら、発明を実施するための形態を説明する。
［１．構成］
本実施形態の中継装置１は、１個の筐体内に複数のカードを搭載したシャーシ型のスイッチ装置である。中継装置１は、例えば、ＯＳＩ（Open Systems Interconnection）に基づくレイヤ２の中継処理を行う、いわゆるレイヤ２スイッチとして機能する。但し、これに限らず、レイヤ３の中継処理を行う、いわゆるレイヤ３スイッチとして機能するものであってもよい。
【００１５】
中継装置１は、図１に示すように、複数のラインカード１０と、複数のスイッチファブリックカード２０と、複数の管理カード３０とを備える。以下では、個々のカードを識別する必要がある場合、ラインカード１０については、ＬＣ１，ＬＣ２，…で示し、スイッチファブリックカード２０についてはＦＣ１，ＦＣ２，…で示し、管理カード３０についてはＭＣ１，ＭＣ２，…で示すものとする。
【００１６】
各ラインカード１０は、所定の通信規格に基づく高速データ転送に対応した一つ以上の外部インタフェース７０を提供する。ラインカード１０は外部インタフェース７０を介して広域通信網であるネットワーク２、他の中継装置３、ユーザ端末４等に接続される。なお、通信規格は、イーサネット等のイーサネットフレームを利用するものであればよい。
【００１７】
各ラインカード１０と各スイッチファブリックカード２０とは、イーサネットの通信規格に基づく高速データ転送に対応した第１の通信網４０を介して相互に接続されている。なお、第１の通信網４０は、１枚のラインカード１０が外部インタフェース７０を介して受け取る最大データ量（例えば、１００Ｇｂｐｓ）のデータ転送が可能な帯域を持つように構成されている。
【００１８】
スイッチファブリックカード２０と管理カード３０とは、Ｉ／Ｏシリアルインタフェースの一種であるＰＣＩ  ｅｘｐｒｅｓｓ（登録商標）による第２の通信網５０を介して相互に接続されている。以下では、ＰＣＩ  ｅｘｐｒｅｓｓをＰＣＩｅという。第２の通信網５０は、複数の管理カード３０をＰＣＩｅのネットワークにおけるホストとした、いわゆるマルチホストシステムを構成する。
【００１９】
管理カード３０と、各ラインカード１０および各スイッチファブリックカード２０とは、ＣＰＵと周辺デバイスとの間で行うシリアル通信の一種であるＩ２Ｃ（Inter-Integrated Circuit）通信を行う第３の通信網６０を介して相互に接続されている。第３の通信網６０は、いずれかの管理カード３０上のＣＰＵをマスタ、各ラインカード１０および各スイッチファブリックカード２０上に設けられたデバイスをスレーブとするマスタ−スレーブ方式の通信システムを構成する。
【００２０】
中継装置１の筐体内には、ラインカード１０，スイッチファブリックカード２０，管理カード３０等を装着するための複数のスロットを有する配線基板が設けられている。各カード１０，２０，３０は、配線基板のスロットに装着されることで、物理的および電気的に相互に接続される。つまり、第１〜第３の通信網４０，５０，６０は、この配線基板上に形成される。
【００２１】
ラインカード１０は、外部インタフェース７０を介して外部機器からイーサネットフレームで構成されたデータフレームを受信し、第１の通信網４０を介してスイッチファブリックカード２０に転送する。また、ラインカード１０は、スイッチファブリックカード２０から第１の通信網４０を介して転送されたデータフレームを受信し、外部インタフェース７０を介して外部機器に向けて送信する。
【００２２】
スイッチファブリックカード２０は、第１の通信網４０を介してラインカード１０からデータフレームを受信し、そのデータフレームを、第１の通信網４０を介して、そのデータフレームの宛先に対応したラインカード１０に転送する。
【００２３】
管理カード３０は、第２の通信網５０を介して制御用のフレームを送受信することにより、複数のスイッチファブリックカード２０によるデータフレームのスイッチング機能を制御する。また、管理カード３０は、第３の通信網６０を介して管理用のフレームを送受信することにより、中継装置１全体を保守管理する。但し、管理カード３０は、複数あるうちのいずれか一つをアクティブ状態、それ以外のものをスタンバイ状態とし、常に一つの管理カード３０のみがスイッチング機能の制御や保守管理を実施するように構成されている。
【００２４】
［２．管理カード］
管理カード３０は、ＭＣ１，ＭＣ２のいずれも同様の構成を有しており、図２に示すように、制御ＩＦ部３１と、管理ＩＦ部３２と、ＣＰＵ３３とを備える。
【００２５】
制御ＩＦ部３１は、ＰＣＩｅ規格に規定されたルートコンプレックス（ＲＣ）であり、第２の通信網５０を構成するＰＣＩｅバスに接続される。
管理ＩＦ部３２は、Ｉ２Ｃインタフェースを提供するトランシーバであり、第３の通信網６０を構成するＩ２Ｃバスに接続される。管理ＩＦ部３２は、ＣＰＵ３３と共にＩ２Ｃネットワークのマスタを構成する。
【００２６】
ＣＰＵ３３は、プロセッサであり、制御ＩＦ部３１を介したスイッチファブリックカード２０のスイッチング機能を制御に係わる運用処理と、管理ＩＦ部３２を介した中継装置１全体の保守管理に係わる保守管理処理とを実行する。また、ＣＰＵ３３は、管理ＩＦ部３２を介したスイッチファブリックカード２０との通信が不能となった場合、制御ＩＦ部３１を介してスイッチファブリックカード２０の保守管理機能を制御する管理バックアップ機能も備えている。管理バックアップ機能の詳細については後述する。
【００２７】
管理カード３０は、通常時には、ＭＣ１がアクティブ状態、ＭＣ２がスタンバイ状態となる。ＭＣ１に異常が生じた場合には、ＭＣ２がアクティブ状態、ＭＣ１がスタンバイ状態に切り替わる。なお、ＭＣ１，ＭＣ２の間は、図示しない通信回線を介して接続され、この通信回線を介してスイッチング機能や、保守管理に関する各種情報を同期して保持する。また、ＭＣ２は、通信回線を介してＭＣ１の異常の有無を監視する。この通信回線は、特に限定はされないが、Ｉ２Ｃであってもよいし、イーサネット回線であってもよい。
【００２８】
［３．スイッチファブリックカード］
スイッチファブリックカード２０は、スイッチ部２１と、制御ＩＦ部２２と、カード管理部２３と、管理ＩＦ部２４とを備える。
【００２９】
スイッチ部２１は、スイッチファブリックカード２０と複数のラインカード１０との間のデータ転送を実現するスイッチング機能を実現するスイッチングデバイスである。スイッチ部２１は、１チップの半導体集積回路によって構成されＳＷＬＳＩとも表記される。スイッチ部２１は、ＰＣＩｅネットワークのエンドポイントとなり、制御ＩＦ部２２を介して、その動作が制御される。なお、スイッチ部２１は、スイッチング機能を実現するために設けられた周知の構成の他、管理バックアップ機能を実現するための構成である、管理カード３０から制御ＩＦ部２２を介して受信した指令に従って書き込みが行われるバックアップレジスタ２１１を備えている。バックアップレジスタ２１１の設定内容は、カード管理部２３に提供される。
【００３０】
制御ＩＦ部２２は、少なくとも管理カード３０の数に１を加えた数（ここでは３個）のＰＣＩｅポートを備え、各ＰＣＩｅポート間でＰＣＩｅ規格に従ったフレーム中継を行うＰＣＩｅスイッチによって構成されている。このため制御ＩＦ部２２はＰＣＩｅＳＷとも表記される。なお、各ＰＣＩｅポートは、それぞれＰＣＩｅネットワークのルートコンプレックスとしてのＭＣ１の制御ＩＦ部３１およびＭＣ２の制御ＩＦ部３１、ＰＣＩｅネットワークのエンドポイントとしてのスイッチ部２１のいずれかに接続される。つまり、制御ＩＦ部２２、および制御ＩＦ部２２とスイッチ部２１とを接続するＰＣＩｅバスは、第２の通信網５０、即ちＰＣＩｅネットワークの一部を構成する。
【００３１】
カード管理部２３は、スイッチファブリックカード２０を保守管理するカード管理機能を半導体チップ上に集積した集積回路である。カード管理機能には、スイッチファブリックカード２０各部の動作状態を監視する監視機能と、監視機能による監視結果や管理カード３０からのコマンドに従ってスイッチファブリックカード２０各部の設定変更やリセットをする処理実行機能とが少なくとも含まれている。
【００３２】
管理ＩＦ部２４は、第３の通信網６０を介して受信する管理用のフレームを、スイッチファブリックカード２０上に設けられた各デバイスに分配し、各デバイスから送信される管理用のフレームを集約して第３の通信網６０に送信するＩ２Ｃスイッチ（以下、Ｉ２ＣＳＷとも表記する）によって構成されている。つまり、管理ＩＦ部２４を介して管理カード３０のＣＰＵ３３をマスタ、スイッチファブリックカード２０上の各デバイスをスレーブとするマスタスレーブ通信を行うことができるように構成されている。なお、管理ＩＦ部２４を介した通信の対象となるデバイスは、上述したカード管理部２３の他、カード管理部２３による監視機能の監視対象となる各種装置が含まれる。
【００３３】
［４．カード管理部］
カード管理部２３は、図３に示すように、監視回路部８１と、ゲート部８２と、部分リセット部８３とを備える。
【００３４】
監視回路部８１は、異常監視部８１１と、管理レジスタ８１２と、選択部８１３と、処理実行部８１４とを備える。
異常監視部８１１は、スイッチファブリックカード２０を構成する各デバイスの動作状態を表す情報を監視し、その監視結果を表す信号を処理実行部８１４に供給する。具体的には、各デバイスの動作状態としては、スイッチ部２１に対する電源やクロックの供給状態、スイッチ部２１の温度、制御ＩＦ部２２のエラー、第１の通信網４０のバス電圧、配線基板のスロットに対するスイッチファブリックカード２０の装着状態（イジェクタの状態）等を監視する。
【００３５】
管理レジスタ８１２は、管理ＩＦ部２４を介して各種コマンドが書き込まれるレジスタである。
選択部８１３は、バックアップレジスタ２１１から出力される選択信号ＳＥＬに従い、管理レジスタ８１２に書き込まれたコマンドおよびスイッチ部２１のバックアップレジスタ２１１に書き込まれたコマンドのいずれか一方を選択して処理実行部８１４に供給する。
【００３６】
処理実行部８１４は、異常監視部８１１での検出結果、および選択部８１３を介して供給されるコマンドに従い、スイッチファブリックカード２０各部の設定変更やリセットに必要な信号を出力する。以下では、処理実行部８１４が出力する信号のうち、スイッチ部２１や制御ＩＦ部２２に供給される信号を制御系信号、制御系信号以外の信号を非制御系信号という。
【００３７】
ゲート部８２は、処理実行部８１４から出力された制御系信号を入力とし、バックアップレジスタ２１１から出力される保持信号ＫＥＰに従って、保持信号ＫＥＰが非アクティブレベルのときに制御系信号を通過させ、保持信号ＫＥＰがアクティブレベルに変化すると制御系信号をラッチし、保持信号ＫＥＰが非アクティブレベルに戻るまでの間、ラッチした信号を保持する。
【００３８】
部分リセット部８３は、保持信号ＫＥＰがアクティブレベルに変化すると、ゲート部８２が制御系信号をラッチするのに十分な時間を経過した後、スイッチファブリックカード２０のスイッチ部２１および制御ＩＦ部２２以外の各部をリセットする部分リセット信号ＰＲＳを出力する。
【００３９】
［５．管理バックアップ機能］
次に、管理カード３０が実行する管理バックアップ機能について説明する。
なお、スイッチファブリックカード２０の起動直後の初期状態では、バックアップレジスタ２１１が出力する信号のうち、選択信号ＳＥＬは管理レジスタ８１２を選択する状態に設定され、保持信号ＫＥＰは非アクティブレベルに設定される。
【００４０】
管理カード３０は、スイッチファブリックカード２０の保守管理に関わる処理を実行する場合、通常時には、第３の通信網６０経由で管理ＩＦ部２４を介して管理レジスタ８１２への書き込みを行う。これにより、処理実行部８１４は、書き込まれたコマンドに応じた処理の実行に必要な各種信号を生成して、スイッチファブリックカード２０の各部に供給する。
【００４１】
ここで、管理カード３０が、第３の通信網６０を介したスイッチファブリックカード２０との通信が不能であることを検出した場合、管理カード３０は、第２の通信網５０経由で制御ＩＦ部２２を介してスイッチ部２１のバックアップレジスタ２１１への書き込みを行う。具体的には、まず、選択部８１３にバックアップレジスタ２１１の出力を選択させる選択信号ＳＥＬを出力させるための書き込みを行う。その後、バックアップレジスタ２１１に、管理レジスタ８１２に書き込むものと同様のコマンドを書き込む。これにより、第３の通信網６０経由で管理レジスタ８１２を利用して実現される保守管理機能と同等の機能を、第２の通信網５０経由でバックアップレジスタ２１１を利用することによって実現される。また、このとき、バックアップレジスタ２１１を介して、管理ＩＦ部２４だけをリセットしてもよい。更に、そのリセットの結果、第３の通信網６０を介した通信不能状態が解消した場合には、バックアップレジスタ２１１を利用するバックアップ状態から、管理レジスタ８１２を利用する通常状態に戻すようにしてもよい。
【００４２】
また、バックアップレジスタ２１１を利用するバックアップ状態にしても、所望の動作が実現されない場合、管理カード３０は、第２の通信網５０経由でバックアップレジスタ２１１への書き込みを行うことによって、保持信号ＫＥＰをアクティブレベルに変化させる。すると、処理実行部８１４から出力される制御系信号の信号レベルは、ゲート部８２に保持され、その後、部分リセット部８３から出力される部分リセット信号ＰＲＳによって、スイッチ部２１および制御ＩＦ部２２以外の各部がリセットされる。つまり、制御系信号の信号レベルはゲート部８２によって保持されるため、部分リセット信号ＰＲＳにより監視回路部８１がリセットされても、スイッチ部２１や制御ＩＦ部２２はその影響を受けることなく、現状の設定状態を維持したまま動作を継続することができる。なお、部分リセットの終了後は、保持信号ＫＥＰを非アクティブレベルに戻すことによって、通常の動作に戻すことができる。
【００４３】
［６．効果］
以上説明した実施形態によれば、以下の効果が得られる。
（１）本実施形態では、第３の通信網６０を介した通信に異常がある場合、スイッチファブリックカード２０の保守管理機能のコマンドを書き込むレジスタを、第３の通信網６０経由で使用される管理レジスタ８１２から第２の通信網５０経由で使用されるバックアップレジスタ２１１に切り替えている。このように、管理カード３０からスイッチファブリックカード２０に対して、保守管理機能に関する指令を伝達するためのインタフェースが２重化されている。このため、第３の通信網６０を介した通信の異常に対して、スイッチファブリックカード２０全体のリセットを行うことなく、ひいては、スイッチ部２１によるスイッチング動作（すなわち、中継機能）を中断させることなく対処することができる。
【００４４】
（２）本実施形態では、保守管理機能のコマンドの書き込みに使用するレジスタを、管理レジスタ８１２からバックアップレジスタ２１１に切り替えた後、管理ＩＦ部２４をリセットするようにされている。このリセットによって、第３の通信網６０を介した通信の異常が解消された時には、保守管理機能のコマンドの設定に使用するレジスタを、バックアップレジスタ２１１から管理レジスタ８１２に戻すことができる。その結果、スイッチ部２１によるスイッチング動作を中断させることなく、通常の動作状態に復帰することができる。
【００４５】
（３）本実施形態では、バックアップレジスタ２１１への書き込みにより保持信号ＫＥＰをアクティブレベルに設定することによって、スイッチ部２１や制御ＩＦ部２２の動作を維持したままスイッチファブリックカード２０のそれ以外の部分をリセットすることができる。このため、監視回路部８１の動作に異常がある場合にも、スイッチ部２１によるスイッチング動作を中断させることなく対処することができ、また、そのリセットによって異常が解消された時には、スイッチ部２１によるスイッチング動作を中断させることなく、通常の動作状態に復帰することができる。
【００４６】
［７．他の実施形態］
以上、本発明を実施するための形態について説明したが、本発明は上述の実施形態に限定されることなく、種々変形して実施することができる。
【００４７】
（１）上記実施形態では、管理カード３０は、第２の通信網５０を介したスイッチング機能に関する制御と、第３の通信網６０を介した保守管理機能に関する処理を一つのＣＰＵ３３が実行しているが、これらを別々のＣＰＵが実行するように構成してもよい。
【００４８】
（２）上記実施形態では、コマンドリセットに係わる第２の通信網５０をＰＣＩｅネットワーク、第３の通信網６０をＩ２Ｃネットワークによって構成しているが、これに限定されるものではなく、公知の通信方式のネットワークを任意に用いることができる。
【００４９】
（３）上記実施形態では、異常に対してバックアップレジスタ２１１を用いた対処法を採用するか、部分リセット信号ＰＲＳを出力する対処法を採用するか、通信状態から判断しているが、これに限定されるものではない。例えば、カード管理部２３に、バックアップレジスタ２１１を介して、異常監視部８１１での監視結果を読み出し可能とする構成を追加し、管理カード３０は、バックアップレジスタ２１１を介して読み取った監視結果から、どのような対処を行うか選択するように構成してもよい。
【００５０】
（４）上記実施形態における一つの構成要素が有する機能を複数の構成要素として分散させたり、複数の構成要素が有する機能を一つの構成要素に統合させたりしてもよい。また、上記実施形態の構成の一部を省略してもよい。また、上記実施形態の構成の少なくとも一部を、他の上記実施形態の構成に対して付加または置換してもよい。なお、特許請求の範囲に記載した文言から特定される技術思想に含まれるあらゆる態様が本発明の実施形態である。
【符号の説明】
【００５１】
１，３…中継装置、２…ネットワーク、４…ユーザ端末、１０…ラインカード、２０…スイッチファブリックカード、２１…スイッチ部、２２，３１…制御ＩＦ部、２３…カード管理部、２４，３２…管理ＩＦ部、３０…管理カード、３３…ＣＰＵ、４０…第１の通信網、５０…第２の通信網、６０…第３の通信網、７０…外部インタフェース、８１…監視回路部、８２…ゲート部、８３…部分リセット部、２１１…バックアップレジスタ、８１１…異常監視部、８１２…管理レジスタ、８１３…選択部、８１４…処理実行部。
【図１】
2017220719.tif 000003
【図２】
2017220719.tif 000004
【図３】
2017220719.tif 000005